(57)【要約】【課題】ポータブル電子デバイスのバックアップ電源システム及びバックアップ電力の供給方法を提供することを課題とする。【解決手段】本発明は、ポータブル電子デバイスのバックアップ電源システム、及び、バックアップ電力の供給方法を開示し、予め設定したポータブル電子デバイスをパックアップ電池の給電状態下の所定消費電力状態で作動させることができると共に主電池の抜き取りの有無の検出を介することで、利用者がポータブル電子デバイスをシャットダウンしなくてもポータブル電子デバイス内の主電池を直接交換できることで、時間の節約という目的を達成することができる。【選択図】図１
2013039018.tif 000002
【特許請求の範囲】
【請求項１】
ポータブル電子デバイスが所定消費電力状態で主電池を交換時に前記ポータブル電子デバイスの作動のために電力を供給し、
パックアップ電池と、
前記パックアップ電池に接続することで、前記パックアップ電池から前記ポータブル電子デバイスへの給電経路をオン、或いは、オフにするスイッチングユニットと、
前記スイッチングユニットに接続し、前記ポータブル電子デバイスを所定消費電力状態に設定する設定信号を受信し、且つ、前記主電池が給電を停止した時、前記スイッチングユニットの給電経路をオンにし、前記ポータブル電子デバイスを前記パックアップ電池の給電状態で作動させることができる制御ユニットと、
を含むことを特徴とするポータブル電子デバイスのバックアップ電源システム。
【請求項２】
前記制御ユニットは、前記設定信号の受信、前記主電池の給電停止、前記ポータブル電子デバイスが外部電源に接続しない時、前記スイッチングユニットの給電経路をオンにすることができ、且つ、前記所定消費電力状態が低消費電力状態であることを特徴とする請求項１に記載のバックアップ電源システム。
【請求項３】
ポータブル電子デバイスがパックアップ電池の給電状態下でも作動できる所定消費電力状態に設定されているかを検出するステップと、
前記ポータブル電子デバイスの主電池が給電を停止したのかを検出するステップと、
上記検出ステップの結果が全て「はい」と判断した時、バックアップ電池に切り替わって前記ポータブル電子デバイスの必要な電力を供給するステップとを、
含むことを特徴とするポータブル電子デバイスのバックアップ電力の供給方法。
【請求項４】
判断ステップ前において、前記ポータブル電子デバイスが外部電源に接続しているかを検出するステップを更に含むことを特徴とする請求項３に記載の方法。
【請求項５】
前記所定消費電力状態は、該ポータブル電子デバイスを一部の特定機能のみで作動させることを特徴とする請求項３に記載の方法。
【発明の詳細な説明】
【技術分野】
【０００１】
本発明は、ポータブル電子デバイスのバックアップ電源システム及びバックアップ電力の供給方法に関し、特に、シャットダウンしなくてもポータブル電子デバイスの主電池を交換できるバックアップ電源システム及びバックアップ電力の供給方法に関する。
【背景技術】
【０００２】
例えば携帯電話、携帯情報端末等の一般的なポータブル電子デバイスは、軽薄短小の設計をベースとし、通常でも電池1個のみ搭載されている。このため、ポータブル電子デバイスの電池電力が間もなく切れそうになった時、利用者はデータの消失を避けるため、まず現在操作しているデータを保存してからポータブル電子デバイスをシャットダウンし、シャットダウン処理を終えてから電池を交換でき、この電池を交換してからポータブル電子デバイスを再起動させ電池交換前の使用状態に戻している。
【０００３】
しかしながら、電子デバイスの起動とシャットダウンはある程度時間を必要とし、これら時間の消費は往々にして利用者に迷惑となり、更にポータブル電子デバイスで処理していた最中に重要な事項をすぐに中断しなければならない。これは、日増しに増加しているポータブル電子デバイスにとって、明らかに利用者の重要な要因になっている。
【発明の概要】
【発明が解決しようとする課題】
【０００４】
本発明の目的は、利用者がポータブル電子デバイスをシャットダウンしなくてもポータブル電子デバイス内の主電池を交換させることができることである。
【０００５】
本発明の別の目的は、主電池を交換した後、迅速にポータブル電子デバイスを正常に戻らせることである。
【課題を解決するための手段】
【０００６】
上述の目的及びその他の目的を達成するため、本発明のポータブル電子デバイスのバックアップ電源システムは、主電池の交換時に電力を該ポータブル電子デバイスに供給するのに用いられ、パックアップ電池と、該パックアップ電池に接続することで、該パックアップ電池の給電経路をオン或いはオフにするスイッチングユニットと、該スイッチングユニットに接続し、該ポータブル電子デバイスを所定消費電力状態に設定する設定信号を受信するために用いられ、且つ該主電池が給電を停止した時、該スイッチングユニットの給電経路をオンにし、該ポータブル電子デバイスを該パックアップ電池の給電状態で作動させることができる制御ユニットと、を含む。
【０００７】
上述の目的及びその他の目的を達成するため、本発明で提供するポータブル電子デバイスのバックアップ電力の供給方法には、該ポータブル電子デバイスが該パックアップ電池の給電状態下でも作動できる所定消費電力状態に設定されているかを検出するステップと、該ポータブル電子デバイスの主電池が給電を停止したのかを検出するステップと、上記検出ステップの結果が全て「はい」と判断した時、パックアップ電池に切り替えて該ポータブル電子デバイスの負荷に必要な電力を供給するステップと、を含む。
【０００８】
本発明の一実施例において、該制御ユニットは、該設定信号の受信、該主電池の給電停止、且つ該ポータブル電子デバイスが外部電源に接続しない時、該スイッチングユニットの給電経路をオンにすることができるためのものである。
【０００９】
本発明の一実施例において、判断ステップ前において、該ポータブル電子デバイスが外部電源に接続しているかを検出するステップを更に含む。
【００１０】
本発明の一実施例において、該所定消費電力状態は、該ポータブル電子デバイスで選択した特定機能の動作を保持させ、他の選択されなかった機能の動作を無効にさせる。
【００１１】
本発明の一実施例において、該所定消費電力状態は低消費電力状態とする。
【発明の効果】
【００１２】
これにより、該所定消費電力状態下の消費電力量とパックアップ電池の電源容量間の整合を介し、ポータブル電子デバイスの性質によって特定電池容量のパックアップ電池を配置することで、ポータブル電子デバイスの電池を交換した後でも速やかに特定機能に戻れるようにでき、更には主電池の交換時にも、やはり特定機能の作動を維持でき、従って起動やシャットダウンのスタンバイ時間を省くことができる。
【図面の簡単な説明】
【００１３】
【図１】本発明の一実施例におけるバックアップ電源システムの機能ブロック図である。
【図２】本発明の一実施例におけるバックアップ電力の供給方法のフローチャートである。
【図３】本発明の別の一実施例におけるバックアップ電力の供給方法のフローチャートである。
【発明を実施するための形態】
【００１４】
以下、本発明の目的、特徴及び効果を更に明確に分かりやすくするため、具体的実施例を添付図面に基づいて説明する。
【００１５】
本発明の実施例において言及する各種構成要素は、例示だけであり、本発明の実施例内に記述する機能或いは方法を達成できる構成要素を本発明に適用できることについて、当業者には明らかになるであろう。
【００１６】
まず本発明の一実施例内におけるバックアップ電源システムの機能ブロックを図１を参照しながら説明する。バックアップ電源システム１００には、パックアップ電池１０１と、スイッチングユニット１０３と、制御ユニット１０５とを含む。
【００１７】
パックアップ電池１０１は、ポータブル電子デバイスの主電池が給電を停止した時、例えば主電池を抜き取った際、ポータブル電子デバイスの必要とする電力を供給することに用いる。以下、負荷２００をポータブル電子デバイスの電力消費の総称とする。
【００１８】
スイッチングユニット１０３は、パックアップ電池１０１と負荷２００の間に接続することで、パックアップ電池１０１の負荷２００に給電する経路をオン或いはオフにする。該スイッチングユニット１０３は、例えばトランジスタとすることができ、制御信号ＣＳの制御を受けて、導通又は非導通に制御することで、パックアップ電池１０１から負荷２００間までの経路をオン或いはオフにさせることができる。該スイッチングユニット１０３について例えば、ＰＭＯＳ若しくはＮＭＯＳを用いることができる。
【００１９】
制御ユニット１０５はスイッチングユニット１０３に接続する。制御ユニット１０５は、例えばＭＣＵ或いはＣＰＵ等の制御装置とすることができる。制御ユニット１０５が設定信号ＳＳを受信すると共に該主電池が給電を停止した時（例：主電池の抜き取り）、制御ユニット１０５が送り出した制御信号ＣＳはスイッチングユニット１０３の給電経路をオンにさせ、パックアップ電池１０１の電力を負荷２００に供給させることできる。言い換えると、当該二つの要件が同時に満たされなかった場合、制御ユニット１０５はスイッチングユニット１０３のオン動作をトリガしない。例を挙げると、ポータブル電子デバイスは利用者の操作により選択的に所定消費電力状態に設定させることができる。例えば、利用者が主電池を交換しようとする時、特定ボタンを押して設定信号ＳＳを生成することができる。該設定信号ＳＳはポータブル電子デバイスのシステムが低消費電力状態に入らせると共に制御ユニット１０５に伝送できる。ポータブル電子デバイス内のどの機能動作を継続して維持させることができるかを決定するため、利用者はパックアップ電池の電源容量の大きさによって所定消費電力状態を設定できる。
【００２０】
本発明の一実施例におけるバックアップ電力の供給方法のフローチャートを、図２を参照しながら説明する。
【００２１】
ステップＳ１０１は、該ポータブル電子デバイスが所定消費電力状態に入ったかを検出する。ステップＳ１０３は、該ポータブル電子デバイスの主電池が給電を停止したのかを検出する。またステップＳ２０１は、上記検出ステップの結果が全て「はい」と判断した時、ステップ３０１に入って該制御ユニット１０５を制御することで、パックアップ電池１０１に切り替わりポータブル電子デバイスの負荷２００に必要な電力を供給できる。
【００２２】
所定消費電力状態とは、利用者が主電池を交換しようとする時の特殊な作動状態をいい、例えば低消費電力状態である。この状態はパックアップ電池１０１の電源容量の大きさによってこの特殊作動状態中の正常に作動できる機能を定義できる。一方、実際のニーズに応じて該ポータブル電子デバイスのパックアップ電池の電源容量の大きさを決定できる。
【００２３】
例を挙げると、もしも該ポータブル電子デバイスが携帯電話の場合、該パックアップ電池の電源容量の大きさは利用者が正常な通話を少なくとも１つの所定時間のみに行わせるよう設計できる。こうすることで、利用者の通話過程中に主電池がなくなりそうになった際、利用者は例えばショートカットキー等の操作でポータブル電子デバイスを主電池の交換モードに入らせることができる。この時の所定消費電力状態で通話機能を維持できるため中断することなく、従って利用者が主電池を抜き取った時、パックアップ電池が直ちに給電し、利用者が主電池の交換を終えた時、主電池の給電停止要件がなくなるため、ポータブル電子デバイスは主電池からの給電に戻る。前述の利用者が正常な通話を少なくとも１つの所定時間のみに行わせることとは、パックアップ電池の電力の全てを通話機能に供給させることができるため、携帯電話の他の機能（例えばインターネット接続機能）が一時的に停止することをいう。
【００２４】
同じように、パックアップ電池の限られた容量の下で、所定消費電力状態を利用者がインターネット接続機能を少なくとも１つの所定時間のみに行わせるよう設定でき、若しくはポータブル電子デバイスが所定消費電力状態の複数選択肢を利用者に選択させ、利用者が維持したい機能によって特定の所定消費電力状態に入らせることができる。
【００２５】
更に一歩進んで、パックアップ電池は自身の充電を行うため、充電回路を通じて主電池の電力を受け入れることができる。
【００２６】
次に、本発明の別の一実施例内におけるバックアップ電力の供給方法のフローチャート図３を参照しながら説明する。前記図２内で言及された２つの検出要件以外に、利用者の可能な行為を更に考えたところ、３つ目の検出要件である該ポータブル電子デバイスが外部電源（例えばＡＣ／ＤＣ変圧器から供給）に接続しているかを検出するステップＳ１０５を更に含むことができる。上記の計３つの検出ステップの結果が全て「はい」の時、パックアップ電池に切り替わって該ポータブル電子デバイスの負荷に必要な電力を供給することができる。
【００２７】
ポータブル電子デバイスをシャットダウンしなくても主電池を交換できる利便性により、利用者はポータブル電子デバイスを外部電源に接続する状況において所定消費電力状態に入ると共に主電池の交換を行う可能性もあるため、３つ目の検出要件を追加できる。その他、パックアップ電池の寿命延長或いはその他の有益な目的のため、前記３つ目の検出要件を追加できる。
【００２８】
上述を取りまとめると、本発明の実施例のポータブル電子デバイスのバックアップ電源システム及びバックアップ電力の供給方法は、ポータブル電子デバイスの使用ニーズに応じて所定消費電力状態を設定でき、従って主電池を交換した後、速やかに特定機能を回復でき、更に主電池交換時にもやはり特定機能の作動を維持できることで、起動やシャットダウンのスタンバイ時間を省き、時間節約という目的を達成することができる。
【符号の説明】
【００２９】
１００    バックアップ電源システム
１０１    パックアップ電池
１０３    スイッチングユニット
１０５    制御ユニット
２００    負荷
ＣＳ      制御信号
ＳＳ      設定信号
Ｓ１０１〜Ｓ３０１    ステップ
【図１】
2013039018.tif 000003
【図２】
2013039018.tif 000004
【図３】
2013039018.tif 000005